(57)【特許請求の範囲】
【請求項１】
被写体が含まれる瞳検出用映像を撮影する瞳検出用カメラと、前記瞳検出用カメラで撮影された瞳検出用映像の顔領域から瞳位置を検出する瞳検出装置と、前記瞳検出装置で検出された瞳位置がマスクされた瞳マスク画像を生成する瞳マスク画像生成装置と、前記瞳マスク画像生成装置が生成した瞳マスク画像を前記被写体に投射するプロジェクタとを備える照明システムであって、
前記瞳マスク画像生成装置は、
前記瞳検出装置から前記顔領域のサイズが入力され、入力された前記顔領域のサイズと予め設定された標準顔のサイズとの比に応じて、瞳マスクのサイズを算出する瞳マスクサイズ算出手段と、
前記瞳検出装置から瞳位置が入力され、入力された前記瞳位置を基準として、前記瞳マスクサイズ算出手段で算出されたサイズの瞳マスクが描かれた前記瞳マスク画像を、生成する瞳マスク画像生成手段と、
を備え、
前記瞳検出用カメラは、前記プロジェクタと光軸が一致するように設置することを特徴とする照明システム。
【請求項２】
前記瞳マスク画像生成装置は、
前記瞳マスク画像生成手段が生成した瞳マスク画像において、前記瞳マスクの濃淡を設定する瞳マスク濃淡設定手段、
をさらに備えることを特徴とする請求項１に記載の照明システム。
【請求項３】
前記瞳マスク画像生成装置は、
前記瞳マスク画像生成手段が生成した瞳マスク画像において、前記瞳マスクのぼかしを設定する瞳マスクぼかし設定手段、
をさらに備えることを特徴とする請求項１又は請求項２に記載の照明システム。
【請求項４】
前記瞳マスク画像生成装置は、
前記瞳マスク画像生成手段が生成した瞳マスク画像において、前記瞳マスクの位置及びサイズを予め設定する瞳マスク位置・サイズ設定手段、
をさらに備えることを特徴とする請求項１から請求項３の何れか一項に記載の照明システム。
【発明の詳細な説明】
【技術分野】
【０００１】
本願発明は、眩しさを軽減しつつ被写体を照明する照明システムに関する。
【背景技術】
【０００２】
放送中継を行う際、被写体となるリポータに照明を当てることが多い。急を要する放送中継（例えば、災害現場からの緊急リポート）では、プロジェクタが、小型で持ち運びが便利なため、照明装置として代用されることがある。この場合、プロジェクタからの強い光が被写体の眼に当たるので、被写体が眩しさを感じてしまい、被写体の表情が不自然になってしまう。
【０００３】
従来より、眩しさを軽減しつつ被写体を照明する発明が提案されている（特許文献１，２参照）。例えば、特許文献１には、被写体に眩しさを感じさせない前眼部観察装置が記載されている。また、例えば、特許文献２には、被写体に適合した強度の照明を照射して適正な顔画像を取得できる顔認証装置が記載されている。
【先行技術文献】
【特許文献】
【０００４】
【特許文献１】特開２００３−０００５４８号公報
【特許文献２】特開２００７−００４６１２号公報
【発明の概要】
【発明が解決しようとする課題】
【０００５】
しかし、特許文献１に記載の発明は、被写体の顔を固定する必要があるので、放送中継には適用が困難である。また、特許文献２に記載の発明は、被写体の顔をアップで撮影した顔拡大画像が必要になるため、全ての放送中継で利用できるわけでない。
【０００６】
そこで、本願発明は、放送中継の際、被写体の眩しさを低減できる照明システムを提供することを課題とする。
【課題を解決するための手段】
【０００７】
前記した課題に鑑みて、本願発明に係る照明システムは、被写体が含まれる瞳検出用映像を撮影する瞳検出用カメラと、瞳検出用カメラで撮影された瞳検出用映像の顔領域から瞳位置を検出する瞳検出装置と、瞳検出装置で検出された瞳位置がマスクされた瞳マスク画像を生成する瞳マスク画像生成装置と、瞳マスク画像生成装置が生成した瞳マスク画像を前記被写体に投射するプロジェクタとを備える照明システムであって、瞳マスク画像生成装置は、瞳マスクサイズ算出手段と、瞳マスク画像生成手段と、を備え、瞳検出用カメラは、プロジェクタと光軸が一致するように設置する構成とした。
【０００８】
かかる構成によれば、瞳マスク画像生成装置は、瞳マスクサイズ算出手段によって、瞳検出装置から顔領域のサイズが入力され、入力された顔領域のサイズと予め設定された標準顔のサイズとの比に応じて、瞳マスクのサイズを算出する。そして、瞳マスク画像生成装置は、瞳マスク画像生成手段によって、瞳検出装置から瞳位置が入力され、入力された瞳位置を基準として、瞳マスクサイズ算出手段で算出されたサイズの瞳マスクが描かれた瞳マスク画像を、生成する。
【０００９】
このように、瞳マスク画像は、被写体の瞳がマスク（例えば、黒色で塗りつぶし）されている。従って、プロジェクタは、この瞳マスク画像で瞳マスクが描かれた箇所、つまり、被写体の瞳に強い光を投射しないことになる。
【発明の効果】
【００１０】
本願発明によれば、以下のような優れた効果を奏する。
本願発明に係る照明システムは、プロジェクタが被写体の瞳に強い光を投射しないので、被写体の眩しさを低減することができる。また、本願発明に係る照明システムは、プロジェクタが小型で持ち運びが便利なため、急を要する放送中継にも適用可能である。
【図面の簡単な説明】
【００１１】
【図１】本願発明の第１実施形態に係る照明システムの概略図である。
【図２】図１の瞳検出用映像の説明図である。
【図３】図１の瞳マスク画像の説明図である。
【図４】図１の照明システムの構成を示すブロック図である。
【図５】瞳マスクのサイズの算出を説明する説明図である。
【図６】（ａ）は瞳マスクと瞳との位置関係を示す模式図であり、（ｂ）瞳マスクの濃淡の設定を説明する説明図である。
【図７】（ａ）は瞳マスクと瞳との位置関係を示す模式図であり、（ｂ）瞳マスクのぼかしの設定を説明する説明図である。
【図８】瞳マスクの位置の設定を説明する説明図である。
【図９】図４の照明システムの動作を示すフローチャートである。
【図１０】本願発明の第２実施形態に係る照明システムの概略図である。
【図１１】図１０の照明システムの構成を示すブロック図である。
【図１２】図１１の照明システムの動作を示すフローチャートである。
【発明を実施するための形態】
【００１２】
以下、本願発明の各実施形態について、適宜図面を参照しながら詳細に説明する。なお、各実施形態において、同一手段には同一符号を付し、説明を省略した。
【００１３】
（第１実施形態）
［照明システムの概略］
図１を参照し、本願発明の第１実施形態に係る照明システム１の概略について説明する。
図１のように、災害現場からの緊急リポート等の放送中継を行う際、リポータ等の被写体９を照明することがある。このとき、照明光が強すぎると、被写体９が眩しさを感じてしまい、被写体９の表情が不自然になる場合がある。また、小型で持ち運びが便利なプロジェクタ６が、放送中継用の照明装置として代用される場合がある。
【００１４】
そこで、照明システム１は、放送中継の際、被写体９の瞳に強い光を投射しないものであり、図１のように、瞳検出用カメラ２と、ノートＰＣ３と、プロジェクタ６とを備えるものである。
なお、図１には、被写体９を撮影する撮影カメラ７を図示した。この撮影カメラ７は、一般的な放送用カメラのため、詳細な説明を省略する。
【００１５】
瞳検出用カメラ２は、図２のように、被写体９が含まれる瞳検出用映像Ａを撮影するものである。例えば、瞳検出用カメラ２は、７２０画素×４８０画素の解像度を有する。また、瞳検出用カメラ２は、後記するプロジェクタ６と光軸が一致するように設置する。本実施形態では、瞳検出用カメラ２は、プロジェクタ６の上部に取り付けることとした。
【００１６】
ノートＰＣ３は、瞳マスク画像表示手段３０を備えると共に、瞳検出装置４及び瞳マスク画像生成装置５として機能する一般的なパーソナルコンピュータである。このノートＰＣ３は、図示を省略したケーブルで瞳検出用カメラ２及びプロジェクタ６に接続されていることとする。
瞳マスク画像表示手段３０は、瞳マスク画像Ｂを表示する一般的なディスプレイである。
【００１７】
瞳検出装置４は、瞳検出用カメラ２より入力された瞳検出用映像Ａの顔領域から瞳位置を検出するものである。
瞳マスク画像生成装置５は、図３のように、瞳検出装置４で検出された瞳位置がマスクされた瞳マスク画像Ｂを生成するものである。
なお、瞳検出装置４及び瞳マスク画像生成装置５の詳細は、後記する。
【００１８】
プロジェクタ６は、ノートＰＣ３（瞳マスク画像生成装置５）から入力された瞳マスク画像Ｂを被写体９に投射するものである。具体的には、プロジェクタ６は、瞳マスク画像Ｂで瞳マスクＭが描かれた部分から、その瞳マスクＭの濃淡に応じて、光を投射しないか又は弱い光を投射する。また、プロジェクタ６は、瞳マスク画像Ｂで瞳マスクＭが描かれていない背景部分から、その背景部分の輝度に応じて強い光を投射する。
このように、照明システム１は、被写体９の瞳に強い光が入射しないので、被写体９の眩しさを軽減できる。
【００１９】
［瞳検出装置の構成］
図４を参照し、瞳検出装置４の構成について説明する（適宜図１参照）。
図４のように、瞳検出装置４は、顔領域検出手段４１と、瞳位置検出手段４３とを備える。
【００２０】
顔領域検出手段４１は、瞳検出用カメラ２より入力された瞳検出用映像Ａから、被写体９の顔領域を検出するものである。本実施形態では、顔領域検出手段４１は、既知の顔領域検出手法（例えば、“ＯｐｅｎＣＶ”、ＵＲＬ：http://opencv.jp/）を用いて、瞳検出用映像Ａを構成するフレーム画像毎に、矩形状の顔領域を検出する。そして、顔領域検出手段４１は、瞳検出用映像Ａのフレーム画像毎に検出された顔領域の検出情報（例えば、顔領域の左上座標及びサイズ）を、瞳位置検出手段４３に出力する。
【００２１】
瞳位置検出手段４３は、瞳検出用カメラ２より入力された瞳検出用映像Ａから、被写体９の瞳位置を検出するものである。本実施形態では、瞳位置検出手段４３は、顔領域の検出情報を参照して、瞳検出用映像Ａの各フレーム画像に顔領域を設定する。そして、瞳位置検出手段４３は、既知の瞳位置検出手法を用いて、各フレーム画像に設定された顔領域から瞳位置（フレーム画像内での瞳の２次元座標）を検出する。その後、瞳位置検出手段４３は、検出した瞳位置と、顔領域の検出情報（サイズ）とを瞳マスク画像生成装置５に出力する。
【００２２】
なお、瞳検出装置４は、例えば、特開２０１０−０１５４６３号公報に記載の発明を用いて実現できるため、これ以上の説明を省略する。
【００２３】
［瞳マスク画像生成装置の構成］
続いて、瞳マスク画像生成装置５の構成について説明する（適宜図１参照）。
図４のように、瞳マスク画像生成装置５は、瞳マスクサイズ算出手段５１と、瞳マスク画像生成手段５３と、瞳マスク濃淡設定手段５５と、瞳マスクぼかし設定手段５７と、瞳マスク位置・サイズ設定手段５９とを備える。
【００２４】
＜瞳マスクのサイズの算出＞
瞳マスクサイズ算出手段５１は、瞳検出装置４から入力された顔領域の検出情報に含まれるサイズと、予め設定された標準顔のサイズとの比に応じて、瞳マスクＭのサイズを算出するものである。本実施形態では、瞳マスクサイズ算出手段５１は、瞳検出用映像Ａのフレーム画像毎に瞳マスクＭのサイズを算出する。ここで、瞳マスクサイズ算出手段５１は、瞳マスクＭが円形なので、小さな顔に対しては小さな半径、大きな顔に対しては大きな半径で、瞳マスクＭのサイズを算出する。
【００２５】
図５のように、瞳マスクサイズ算出手段５１は、被写体９の左眼９０Ｌについて、下記の式（１）によって瞳マスクＭＬのサイズ（円の半径）Ｒを算出する。そして、瞳マスクサイズ算出手段５１は、算出した瞳マスクＭのサイズＲを瞳マスク画像生成手段５３に出力する。
Ｒ＝（Ｒ０×Ｆｓｉｚｅ／Ｆｓｉｚｅ０）  …式（１）
【００２６】
この式（１）では、Ｒ０が瞳マスクＭのサイズの初期設定値であり、Ｆｓｉｚｅが検出情報に含まれる顔領域のサイズであり、Ｆｓｉｚｅ０が顔領域のサイズの初期設定値である。
この初期設定値Ｒ０，Ｆｓｉｚｅ０は、照明システム１のユーザが任意に設定可能である。ここで、瞳マスクＭが被写体９の瞳より大きいと、視聴者に違和感を与えるので、瞳マスクＭが被写体９の瞳より小さくなるように初期設定値Ｒ０，Ｆｓｉｚｅ０を設定することが好ましい。
【００２７】
なお、本実施形態では、左右の眼９０に対応した左右の瞳マスクＭのサイズが等しいこととする。
また、瞳マスクサイズ算出手段５１は、被写体９の右眼９０から瞳マスクＭのサイズＲを算出してもよい。
【００２８】
＜瞳マスク画像の生成＞
瞳マスク画像生成手段５３は、瞳検出装置４から入力された瞳位置を基準として、瞳マスクサイズ算出手段５１で算出されたサイズの瞳マスクＭが描かれた瞳マスク画像Ｂを、生成するものである。本実施形態では、瞳マスク画像生成手段５３は、瞳検出用映像Ａのフレーム画像毎に、前記した瞳位置を中心として半径Ｒの円を黒色で塗りつぶした瞳マスク画像Ｂを生成する。そして、瞳マスク画像生成手段５３は、生成した瞳マスク画像Ｂを瞳マスク画像表示手段３０に出力する。
【００２９】
ここで、瞳マスクＭが被写体９の瞳から外れた場合、視聴者に違和感を与えてしまう。また、中継現場の明るさや被写体９の瞳の色に合わせて、瞳マスクＭの濃淡やぼかしを調整すると、より自然な放送中継が可能となる。そこで、瞳マスク画像生成装置５は、瞳マスク画像表示手段３０に表示された瞳マスク画像Ｂや被写体９を参照しながら、ユーザが瞳マスクＭの位置、サイズ、濃淡及びぼかしを設定できることとした。
【００３０】
＜瞳マスクの濃淡設定＞
図６のように、瞳マスク濃淡設定手段５５は、瞳マスク画像生成手段５３が生成した瞳マスク画像Ｂにおいて、瞳マスクＭの濃淡を設定するものである。本実施形態では、瞳マスク濃淡設定手段５５は、図示を省略したマウス、キーボード等の入力手段を用いて、ユーザが瞳マスクＭの濃度を設定することとした。
【００３１】
図６（ｂ）のように、瞳マスク濃淡設定手段５５において、瞳マスクＭＬの濃度を最低に設定すると、瞳マスク画像Ｂでは瞳マスクＭＬが黒色で描かれる。この場合、プロジェクタ６が瞳マスクＭＬの部分に光を一切投射しないので、放送中継では、図６（ａ）のように被写体９の瞳が暗くなる。
【００３２】
また、瞳マスク濃淡設定手段５５において、瞳マスクＭＬの濃度を高く設定すると（図６（ｂ）の破線参照）、瞳マスク画像Ｂでは瞳マスクＭＬが灰色で描かれる。この場合、プロジェクタ６が瞳マスクＭＬの部分に弱い光を投射するので、放送中継では、図６（ａ）のよりも被写体９の瞳が明るくなる（図６不図示）。
このように、瞳マスク濃淡設定手段５５は、中継現場の明るさや瞳の色に合わせて瞳マスクＭＬの濃淡を設定できるので、より自然な放送中継が可能となる。
【００３３】
なお、図６では、被写体９の左眼９０Ｌに対応した瞳マスクＭＬの濃淡を設定する例を図示したが、被写体９の右眼９０に対応した瞳マスクＭの濃淡も同様に設定できる。
また、図６では、瞳マスクＭと左眼９０Ｌとの水平方向の位置関係を図示したが、瞳マスクＭＬの濃淡は垂直方向も設定できる。
【００３４】
＜瞳マスクのぼかし設定＞
図７のように、瞳マスクぼかし設定手段５７は、瞳マスク画像生成手段５３が生成した瞳マスク画像Ｂにおいて、瞳マスクＭのぼかしを設定するものである。本実施形態では、瞳マスクぼかし設定手段５７は、ユーザが入力手段を用いて、瞳マスクＭのぼかしを設定することとした。
【００３５】
瞳マスクぼかし設定手段５７は、図７（ａ）のように、瞳マスクＭＬをぼかす領域を設定できる。このぼかす領域は、瞳マスクＭＬの外周から中心に向けた径ｒの環状領域であり、図７（ａ）でドットが付された領域である。
【００３６】
また、瞳マスクぼかし設定手段５７は、瞳マスクＭＬの外周における濃度を設定できる。つまり、瞳マスクＭＬの外周における濃度を低くする程、瞳マスクＭＬの外周と中心の濃淡差が大きくなる。なお、瞳マスクＭＬの中心における濃度は、瞳マスク濃淡設定手段５５で設定されたものとなる。
【００３７】
図７（ｂ）のように、瞳マスクぼかし設定手段５７は、ぼかす領域及び瞳マスクＭＬの外周における濃度を組み合わせて、眼９０の中心位置を基準として、ガウス分布のグラフを上下反転させた強度分布で瞳マスクＭＬをぼかすことができる。
このように、瞳マスクぼかし設定手段５７は、中継現場の明るさや瞳の色に合わせて瞳マスクＭＬのぼかしを設定できるので、より自然な放送中継が可能となる。
【００３８】
なお、図７では、左眼９０Ｌに対応した瞳マスクＭＬのぼかしを設定する例を図示したが、被写体９の右眼９０に対応した瞳マスクＭのぼかしも同様に設定できる。
また、図７では、瞳マスクＭと左眼９０Ｌとの水平方向の位置関係を図示したが、瞳マスクＭＬのぼかしは垂直方向も設定できる。
【００３９】
＜瞳マスクの位置・サイズ設定＞
図８のように、瞳マスク位置・サイズ設定手段５９は、瞳マスク画像生成手段５３が生成した瞳マスク画像Ｂにおいて、瞳マスクＭ（ＭＲ，ＭＬ）の位置及びサイズを設定するものである。本実施形態では、瞳マスク位置・サイズ設定手段５９は、ユーザが入力手段を用いて、瞳マスクＭの位置及びサイズを設定することとした。
なお、図８では、図面を見やすくするため、瞳マスクＭを破線で図示した。
【００４０】
瞳マスク位置・サイズ設定手段５９は、図８のように、右眼９０Ｒに対応した瞳マスクＭＲの位置として、瞳マスクＭＲの中心座標（ｘＲ，ｙＲ）を設定できる。また、瞳マスク位置・サイズ設定手段５９は、左眼９０Ｌに対応した瞳マスクＭＬの位置として、瞳マスクＭＬの中心座標（ｘＬ，ｙＬ）を設定できる。
さらに、瞳マスク位置・サイズ設定手段５９は、瞳マスクＭＲ，ＭＬのサイズ（円の半径）Ｒをそれぞれ設定できる（図５参照）。
【００４１】
このように、瞳マスク位置・サイズ設定手段５９は、万一、瞳マスク画像Ｂの瞳マスクＭの位置がずれたり、そのサイズが被写体９の瞳に合わない場合でも、瞳マスクＭの位置やサイズを設定できるので、視聴者が違和感を覚えることが少なくなる。
【００４２】
なお、瞳マスク画像生成装置５は、瞳マスクＭの位置、サイズ、濃淡又はぼかしの何れか１以上を設定した場合、その設定が反映された瞳マスク画像Ｂをプロジェクタ６に出力する。この場合、瞳マスク画像生成装置５は、ユーザが設定を解除するまで、以後の瞳マスク画像Ｂにも同様の設定を施すこととしてもよい。
一方、瞳マスク画像生成装置５は、瞳マスクＭの位置、サイズ、濃淡及びぼかしの何れも設定されなかった場合、瞳マスク画像生成手段５３が生成した瞳マスク画像Ｂをそのままプロジェクタ６に出力する。
【００４３】
［照明システムの動作］
図９を参照し、図１の照明システム１の動作について説明する（適宜図４参照）。
図９のように、照明システム１は、瞳検出用カメラ２によって、被写体９が含まれる瞳検出用映像Ａを撮影する（ステップＳ１）。
【００４４】
照明システム１は、瞳検出装置４の顔領域検出手段４１によって、瞳検出用映像Ａから、被写体９の顔領域を検出する（ステップＳ２）。
照明システム１は、瞳検出装置４の瞳位置検出手段４３によって、瞳検出用映像Ａの顔領域から、被写体９の瞳位置を検出する（ステップＳ３）。
【００４５】
照明システム１は、瞳マスク画像生成装置５の瞳マスクサイズ算出手段５１によって、顔領域の検出情報に含まれるサイズと、標準顔のサイズとの比に応じて、瞳マスクＭのサイズを算出する（ステップＳ４）。
照明システム１は、瞳マスク画像生成装置５の瞳マスク画像生成手段５３によって、ステップＳ３で検出された瞳位置を基準として、ステップＳ４で算出されたサイズの瞳マスクＭが描かれた瞳マスク画像Ｂを生成する（ステップＳ５）。
【００４６】
照明システム１は、瞳マスク画像Ｂに各種設定を行う。
照明システム１は、瞳マスク画像生成装置５の瞳マスク濃淡設定手段５５によって、ステップＳ５で生成したマスク画像Ｂにおいて、瞳マスクＭの濃淡を設定する。
照明システム１は、瞳マスク画像生成装置５の瞳マスクぼかし設定手段５７によって、ステップＳ５で生成した瞳マスク画像Ｂにおいて、瞳マスクＭのぼかしを設定する。
照明システム１は、瞳マスク画像生成装置５の瞳マスク位置・サイズ設定手段５９によって、ステップＳ５で生成した瞳マスク画像Ｂにおいて、瞳マスクＭの位置及びサイズを設定する（ステップＳ６）。
【００４７】
照明システム１は、プロジェクタ６によって、瞳マスク画像Ｂを被写体９に投射する（ステップＳ７）。
【００４８】
［作用・効果］
本願発明の第１実施形態に係る照明システム１は、放送中継の際、プロジェクタ６が被写体９の瞳に強い光を投射せず、被写体９の眩しさを低減できるので、被写体９の表情が自然になると共に被写体９が原稿を読み易くなるので、自然な放送中継が可能となる。さらに、照明システム１は、ノートＰＣ３やプロジェクタ６が小型で持ち運びが便利なため、急を要する放送中継にも適用可能である。
【００４９】
さらに、照明システム１は、瞳検出用映像Ａの各フレーム画像から瞳マスク画像Ｂを逐次生成するので、被写体９の眼９０に瞳マスクＭが追従することになり、より自然な放送中継が可能となる。
さらに、照明システム１は、被写体９が瞬きしている間の瞳検出用映像Ａから瞳位置を検出しないので、瞼を閉じた被写体９に瞳マスクＭが投射される事態を防止し、より自然な放送中継が可能となる。
【００５０】
さらに、照明システム１は、中継現場の明るさや被写体９の瞳の色に合わせて、瞳マスクＭの濃淡やぼかしを設定できるので、より自然な放送中継が可能となる。
さらに、照明システム１は、万一、瞳マスクＭが被写体９の瞳から外れたり、瞳マスクＭのサイズが被写体９の瞳に合わない場合でも、適宜瞳マスクＭの位置やサイズを設定できるので、視聴者が違和感を覚えることが少なくなる。
【００５１】
（第２実施形態）
［照明システムの概略］
図１０を参照し、本願発明の第２実施形態に係る照明システム１Ｂの概略について、第１実施形態と異なる点を説明する（適宜図１参照）。
照明システム１Ｂは、撮影カメラ７Ｂで撮影した収録映像を瞳検出用映像Ａとして用いる点と、中継現場の明るさに合わせて瞳マスクＭ（図３）の濃淡を設定する点が、第１実施形態と異なる。
図１０のように、照明システム１Ｂは、ノートＰＣ３Ｂと、プロジェクタ６と、撮影カメラ７Ｂと、照度センサ８とを備えるものである。
【００５２】
ノートＰＣ３Ｂは、瞳検出装置４Ｂ及び瞳マスク画像生成装置５Ｂとして機能する一般的なパーソナルコンピュータである。このノートＰＣ３Ｂは、図示を省略したケーブルでプロジェクタ６、撮影カメラ７Ｂ及び照度センサ８に接続されていることとする。
【００５３】
瞳検出装置４Ｂは、撮影カメラ７Ｂより入力された瞳検出用映像（収録映像）Ａの顔領域から瞳位置を検出する点が、第１実施形態と異なる。
瞳マスク画像生成装置５Ｂは、照度センサ８が検出した照度に合わせて瞳マスクＭの濃淡を設定する点と、撮影カメラ７Ｂのズーム（焦点距離）に応じて、瞳マスクＭのサイズを設定する点とが、第１実施形態と異なる。
【００５４】
撮影カメラ７Ｂは、収録映像Ａを撮影する一般的な放送用カメラである。この撮影カメラ７Ｂは、ズーム可能である。また、撮影カメラ７Ｂは、収録映像Ａと、収録映像Ａを構成するフレーム画像毎に、そのフレーム画像を撮影したときの焦点距離とをノートＰＣ３Ｂに出力する。
【００５５】
ここで、撮影カメラ７Ｂは、プロジェクタ６の光軸と一致するように設置する。例えば、撮影カメラ７Ｂ及びプロジェクタ６は、それぞれの光軸が一致するように固定可能なフレーム（不図示）に搭載してもよい。本実施形態では、撮影カメラ７Ｂは、パン及びチルトを行わず、収録映像Ａに被写体９の顔が映るように撮影を行うこととする。
他の点、撮影カメラ７Ｂは、第１実施形態と同様のため、これ以上の説明を省略する。
【００５６】
照度センサ８は、中継現場の照度を検出可能な一般的な光センサである。この照度センサ８は、撮影カメラ７Ｂの撮影方向、つまり、被写体９周辺の照度を検出できるように設置するとよい。本実施形態では、照度センサ８は、プロジェクタ６の側面に取り付けることとした。
【００５７】
［瞳検出装置の構成］
図１１を参照し、瞳検出装置４Ｂの構成について、第１実施形態と異なる点を説明する（適宜図１０参照）。
図１１のように、瞳検出装置４Ｂは、顔領域検出手段４１Ｂと、瞳位置検出手段４３とを備える。この瞳検出装置４Ｂは、撮影カメラ７Ｂから入力された焦点距離を瞳マスク画像生成装置５Ｂに出力する。
【００５８】
顔領域検出手段４１Ｂは、撮影カメラ７Ｂより入力された収録映像Ａから、被写体９の顔領域を検出するものである。ここで、顔領域検出手段４１Ｂは、第１実施形態と同様の手法を用いて、収録映像Ａから顔領域を検出する。
他の点、顔領域検出手段４１Ｂは、第１実施形態と同様のため、これ以上の説明を省略する。
【００５９】
［瞳マスク画像生成装置の構成］
続いて、瞳マスク画像生成装置５Ｂの構成について、第１実施形態と異なる点を説明する（適宜図１０参照）。
図１１のように、瞳マスク画像生成装置５Ｂは、瞳マスクサイズ算出手段５１Ｂと、瞳マスク画像生成手段５３と、瞳マスク濃淡設定手段５５Ｂと、瞳マスクぼかし設定手段５７と、瞳マスク位置・サイズ設定手段５９とを備える。
【００６０】
瞳マスクサイズ算出手段５１Ｂは、第１実施形態と同様、式（１）で瞳マスクＭのサイズを算出する。そして、瞳マスクサイズ算出手段５１Ｂは、算出した瞳マスクＭのサイズを、撮影カメラ７Ｂから入力された焦点距離に応じて補正するものである。例えば、瞳マスクサイズ算出手段５１Ｂは、焦点距離が短くなる程、瞳マスクＭを大きくし、焦点距離が長くなる程、瞳マスクＭを小さくする。
【００６１】
このように、マスクサイズ算出手段５１Ｂは、撮影カメラ７Ｂのズームに応じて瞳マスクＭのサイズを補正するので、撮影カメラ７Ｂのカメラワークに合わせて瞳マスクＭのサイズを手動設定する必要がなく、利便性が向上する。
他の点、マスクサイズ算出手段５１Ｂは、第１実施形態と同様のため、これ以上の説明を省略する。
【００６２】
瞳マスク濃淡設定手段５５Ｂは、瞳マスク画像生成手段５３が生成した瞳マスク画像Ｂにおいて、瞳マスクＭの濃淡を設定するものである。本実施形態では、瞳マスク濃淡設定手段５５Ｂは、照度センサ８から入力された照度に応じて、瞳マスクＭの濃淡を設定することとした。例えば、瞳マスク濃淡設定手段５５Ｂは、照度センサ８から入力された照度が低くなる程、瞳マスクＭを淡くし、その照度が高くなる程、瞳マスクＭを濃くする。
【００６３】
このように、瞳マスク濃淡設定手段５５Ｂは、中継現場の明るさに合わせて瞳マスクＭの濃淡を設定できるので、利便性が向上する。
他の点、瞳マスク濃淡設定手段５５Ｂは、第１実施形態と同様のため、これ以上の説明を省略する。
【００６４】
［照明システムの動作］
図１２を参照し、図１０の照明システム１Ｂの動作について、第１実施形態と異なる点を説明する（適宜図１１参照）。
図１２のように、照明システム１Ｂは、撮影カメラ７Ｂによって、被写体９が含まれる収録映像Ａを撮影する（ステップＳ１Ｂ）。
照明システム１Ｂは、瞳検出装置４Ｂの顔領域検出手段４１Ｂによって、収録映像Ａから、被写体９の顔領域を検出する（ステップＳ２Ｂ）。
照明システム１Ｂは、瞳マスク画像生成装置５Ｂの瞳マスクサイズ算出手段５１Ｂによって、瞳マスクＭのサイズを算出し、撮影カメラ７Ｂのズームに応じて、瞳マスクＭのサイズを補正する（ステップＳ４Ｂ）。
【００６５】
照明システム１Ｂは、瞳マスク画像Ｂに各種設定を行う。
照明システム１Ｂは、瞳マスク画像生成装置５Ｂの瞳マスク濃淡設定手段５５Ｂによって、照度センサ８から入力された照度に応じて、瞳マスクＭの濃淡を設定する（ステップＳ６Ｂ）。
この他、ステップＳ６Ｂでは、第１実施形態と同様、瞳マスクＭのぼかし、位置及びサイズを設定する。
【００６６】
［作用・効果］
本願発明の第２実施形態に係る照明システム１Ｂは、第１実施形態と同様、被写体９の眩しさを低減できるので、自然な放送中継が可能となると共に、急を要する放送中継にも適用可能である。
さらに、照明システム１Ｂは、撮影カメラ７Ｂのズームに応じて瞳マスクＭのサイズを補正すると共に、中継現場の明るさに合わせて瞳マスクＭの濃淡を設定できるので、利便性が向上する。
【００６７】
（変形例）
以上、本願発明の実施形態を詳述してきたが、本願発明は前記した実施形態に限られるものではなく、本願発明の要旨を逸脱しない範囲の設計変更等も含まれる。
前記したように、被写体が瞼を閉じた場合、瞳マスクが投射されず、被写体の瞳位置に光が照射された状態になる。従って、瞼を開けた瞬間、被写体が眩しさを感じることがある。そこで、照明システムは、被写体の瞬き時間を予め設定しておき、被写体の瞳位置を検出できない時間が瞬き時間以上続いた場合、元の瞳位置に瞳マスクＭを投射してもよい。
【符号の説明】
【００６８】
１，１Ｂ  照明システム
２  瞳検出用カメラ
３，３Ｂ  ノートＰＣ
４，４Ｂ  瞳検出装置
５，５Ｂ  瞳マスク画像生成装置
６  プロジェクタ
７，７Ｂ  撮影カメラ
８  照度センサ
３０  瞳マスク画像表示手段
４１，４１Ｂ  顔領域検出手段
４３  瞳位置検出手段
５１，５１Ｂ  瞳マスクサイズ算出手段
５３  瞳マスク画像生成手段
５５，５５Ｂ  瞳マスク濃淡設定手段
５７  瞳マスクぼかし設定手段
５９  瞳マスク位置・サイズ設定手段
【図１】
0006703397.tif 000002
【図２】
0006703397.tif 000003
【図３】
0006703397.tif 000004
【図４】
0006703397.tif 000005
【図５】
0006703397.tif 000006
【図６】
0006703397.tif 000007
【図７】
0006703397.tif 000008
【図８】
0006703397.tif 000009
【図９】
0006703397.tif 000010
【図１０】
0006703397.tif 000011
【図１１】
0006703397.tif 000012
【図１２】
0006703397.tif 000013